(57)【要約】      （修正有）【課題】モップヘッドの洗浄が容易なモップクリーナー及びその附属セルフ洗浄装置を提供する。【解決手段】モップクリーナーは筐体１を含み、筐体はグリップロッド２に接続され、筐体内にモーターが設けられ、筐体の下方にモップヘッド３が設けられ、モーターはモップヘッドを回転させる。セルフ洗浄装置はバケツを含み、バケツはモップクリーナーを支持する支持部に接続され、バケツ内にワイパーが設けられ、モップクリーナーはバケツ内に置かれて水を除去する時に、支持部はモップクリーナーを支持し、ワイパーはモップヘッドに当接し、モップヘッドの回転又はワイパーの動作時に、モップヘッドの水及び／又は汚れがワイパーによって拭き取られる。【選択図】図１
0003226942.tif 000002
【実用新案登録請求の範囲】
【請求項１】
モップクリーナー及びその附属セルフ洗浄装置であって、
前記モップクリーナーは筐体、前記筐体はグリップロッドに接続され、筐体内にモーターが設けられ、筐体の下方にモップヘッドが設けられ、モーターはモップヘッドを回転させ、前記セルフ洗浄装置はバケツを含み、バケツはモップクリーナーを支持する支持部に接続され、バケツ内にワイパーが設けられ、モップクリーナーはバケツ内に置かれて水を除去する時に、前記支持部は前記モップクリーナーを支持し、ワイパーはモップヘッドに当接し、モップヘッドの回転又はワイパーの動作時に、モップヘッドの水及び／又は汚れはワイパーによって拭き取られることを特徴とするモップクリーナー及びその附属セルフ洗浄装置。
【請求項２】
前記モップヘッドの数は偶数で、モップヘッドは対称に設置される２つに分けられ、２つのモップヘッドの回転方向は反対になることを特徴とする請求項１に記載のモップクリーナー及びその附属セルフ洗浄装置。
【請求項３】
前記支持部はバケツ内に設置されることを特徴とする請求項１に記載のモップクリーナー及びその附属セルフ洗浄装置。
【請求項４】
前記支持部はバケツの上方に設けられ、グリップロッドに掛け止め部が設けられ、支持部と掛け止め部は接続されて前記モップクリーナーを支持することを特徴とする請求項１に記載のモップクリーナー及びその附属セルフ洗浄装置。
【請求項５】
前記モップヘッドは円盤であり、モップヘッドは回転し、ワイパーは常にバケツ内に保持するように設置されることを特徴とする請求項１に記載のモップクリーナー及びその附属セルフ洗浄装置。
【請求項６】
前記モップヘッドは円盤であり、ワイパーはモップヘッドの中心を回転の中心として回転するように設置されることを特徴とする請求項１に記載のモップクリーナー及びその附属セルフ洗浄装置。
【請求項７】
前記ワイパーはストリップ又はローラー又はブラシ、又は任意の組み合わせであることを特徴とする請求項１に記載のモップクリーナー及びその附属セルフ洗浄装置。
【請求項８】
前記ワイパーはローラーであり、前記ローラーは自体の軸線を回転軸として回転するようにバケツ内に設置され、前記ローラーは単一方向に回転するように設置され、モップヘッドは正回転すると前記ローラーも回転するが、モップヘッドは逆回転するとローラーは回転を停止することを特徴とする請求項７に記載のモップクリーナー及びその附属セルフ洗浄装置。
【請求項９】
さらにラチェット機構、ローラーの単一方向回転の設置は前記ラチェット機構を採用することを特徴とする請求項８に記載のモップクリーナー及びその附属セルフ洗浄装置。
【請求項１０】
さらに取付台座は取付けられ、前記ローラーの端部に回転軸が設けられ、前記回転軸にラチェットの歯が設けられ、取付台座に凸歯が設けられ、前記取付台座にキャビティが設けられ、前記回転軸はキャビティ内に設置され、前記キャビティにはキャビティ内に回転軸が変位するためのストロークスペースが設けられ、前記モップヘッドは正回転すると前記回転軸は凸歯の一側から離れるように回転するが、前記モップヘッドは逆回転すると前記回転軸は凸歯の一側に近づくように回転するため、凸歯をラチェットの歯にはめ込んでローラーの回転を停止させることを特徴とする請求項８に記載のモップクリーナー及びその附属セルフ洗浄装置。
【請求項１１】
前記モップヘッドはモップパッド及びモップパッドを取付けるための取付ヘッドを含み、モーターは取付ヘッドに接続され、前記モップパッドは取付ヘッドに脱着可能に設置されることを特徴とする請求項１に記載のモップクリーナー及びその附属セルフ洗浄装置。
【請求項１２】
前記モップヘッドはモップパッド及びモップパッドを取付けるための取付ヘッドを含み、モーターは取付ヘッドに接続され、前記モップパッドは取付ヘッドに縫い付けられることを特徴とする請求項１に記載のモップクリーナー及びその附属セルフ洗浄装置。
【請求項１３】
さらにモップヘッドの水洗いに水を供給する給水装置、給水装置は水ポンプを含み、モップヘッドを水洗いする時、水ポンプは動作してバケツ内又はバケツとは別の貯水キャビティから水を取りモップヘッドに水を供給することを特徴とする請求項１に記載のモップクリーナー及びその附属セルフ洗浄装置。
【請求項１４】
さらにモップヘッドの水洗いに水を供給する給水装置を含み、給水装置は貯水装置を含み、貯水装置はバケツに接続され、貯水装置はモップヘッドの上方に位置し、貯水装置に排水口が設けられ、排水口は配管に介して水弁に接続され、モップヘッドを水洗いする時、水弁をオンにし、排水口からモップヘッドに水を供給し、前記バケツはモップヘッドからワイパーによって拭き取られた水及び／又は汚れを受け取ることを特徴とする請求項１に記載のモップクリーナー及びその附属セルフ洗浄装置。
【請求項１５】
水ポンプは動作してバケツとは別の貯水キャビティから水を取りモップヘッドに水を供給し、前記バケツはモップヘッドからワイパーによって拭き取られた水及び／又は汚れを受け取ることを特徴とする請求項１３に記載のモップクリーナー及びその附属セルフ洗浄装置。
【請求項１６】
前記水ポンプは円筒を含み、円筒に吸水口が設けられ、円筒内には円筒の内壁に沿って下から上まで旋回する螺旋部が設けられ、円筒は回転するようにバケツに設置され、モップヘッドは円筒の上方に設置されてそれに接続され、モップヘッドは回転すると円筒を回転させることを特徴とする請求項１３又は１５に記載のモップクリーナー及びその附属セルフ洗浄装置。
【請求項１７】
円筒の内径は下から上まで大きくなることを特徴とする請求項１３に記載のモップクリーナー及びその附属セルフ洗浄装置。
【請求項１８】
前記支持部は円筒に固定接続されることを特徴とする請求項１３に記載のモップクリーナー及びその附属セルフ洗浄装置。
【請求項１９】
前記円筒内に内筒が設けられ、内筒と円筒の間に隙間が設けられ、内筒と円筒は同軸上に設置され、内筒と円筒は固定接続され又は回転可能に接続されることを特徴とする請求項１３に記載のモップクリーナー及びその附属セルフ洗浄装置。
【請求項２０】
前記内筒と円筒は固定接続され、前記支持部と内筒は固定接続されることを特徴とする請求項１９に記載のモップクリーナー及びその附属セルフ洗浄装置。
【請求項２１】
前記ワイパーはローラーであり、ローラーの中心を基準として第１の洗浄部と第２の洗浄部を周方向に配列のように設置し、前記第２の洗浄部はモップパッドの周縁部に合わせて設置され、前記第２の洗浄部は第１の洗浄部に対して突出することを特徴とする請求項７に記載のモップクリーナー及びその附属セルフ洗浄装置。
【請求項２２】
筐体の底部において２つのモップヘッドの間に押えリブが設置され、床を掃除する状態で、当該押えリブをモップパッドに押さえることを特徴とする請求項１に記載のモップクリーナー及びその附属セルフ洗浄装置。
【考案の詳細な説明】
【技術分野】
【０００１】
本考案はモップクリーナー及びその附属セルフ洗浄装置に関し、清掃工具技術分野に属する。
【背景技術】
【０００２】
従来技術の特許文献１は、ツインヘッド構造を採用し、清掃効果を上げ、ユーザーの清掃のお手伝いをする「家庭用電動モップクリーナー」を提供する。しかしながら、このモップクリーナーで掃除した後、モップヘッドを洗浄しなければならない。したがって、モップヘッドの洗浄では通常、手で拭き取る、又はモップヘッドを外して水洗いをするなどしなければならず、ユーザーにとって頭が痛い問題が存在する。
【先行技術文献】
【特許文献】
【０００３】
【特許文献１】中国実用新案第ＣＮ１０６４９１０５６Ａ明細書
【考案の概要】
【考案が解決しようとする課題】
【０００４】
本考案は、従来技術の不足を克服し、合理的な構造設計を採用し、モップクリーナーを洗浄するモップクリーナー及びその附属セルフ洗浄装置を提供することを目的とする。
【課題を解決するための手段】
【０００５】
本考案の技術的解決手段として提供されるのは、モップクリーナー及びその附属セルフ洗浄装置である。前記モップクリーナーは筐体、前記筐体はグリップロッドに接続され、筐体内にモーターが設けられ、筐体の下方にモップヘッドが設けられ、モーターはモップヘッドを回転させる。その特徴は、前記セルフ洗浄装置はバケツを含み、バケツはモップクリーナーを支持する支持部に接続され、バケツ内にワイパーが設けられ、モップクリーナーはバケツ内に置かれて水を除去する時に、前記支持部は前記モップクリーナーを支持し、ワイパーはモップヘッドに当接し、モップヘッドの回転又はワイパーの動作時に、モップヘッドの水及び／又は汚れはワイパーによって拭き取られることである。
【０００６】
そのうち、前記モップヘッドの数は偶数で、モップヘッドは対称に設置される２つに分けられ、２つのモップヘッドの回転方向は反対になる。
【０００７】
そのうち、前記支持部はバケツ内に設置される。
【０００８】
そのうち、前記支持部はバケツの上方に設けられ、グリップロッドに掛け止め部が設けられ、支持部と掛け止め部は接続されて前記モップクリーナーを支持する。
【０００９】
そのうち、前記モップヘッドは円盤であり、モップヘッドは回転し、ワイパーは常にバケツ内に保持するように設置される。
【００１０】
そのうち、前記モップヘッドは円盤であり、ワイパーはモップヘッドの中心を回転の中心として回転するように設置される。
【００１１】
そのうち、前記ワイパーはストリップ又はローラー又はブラシ、又は任意の組み合わせである。
【００１２】
そのうち、前記ワイパーはローラーであり、前記ローラーは自体の軸線を回転軸として回転するようにバケツ内に設置され、前記ローラーは単一方向に回転するように設置され、モップヘッドは正回転すると前記ローラーも回転するが、モップヘッドは逆回転するとローラーは回転を停止する。
【００１３】
そのうち、さらにラチェット機構、ローラーの単一方向回転の設置は前記ラチェット機構を採用する。
【００１４】
そのうち、さらに取付台座は取付けられ、前記ローラーの端部に回転軸が設けられ、前記回転軸にラチェットの歯が設けられ、取付台座に凸歯が設けられ、前記取付台座にキャビティが設けられ、前記回転軸はキャビティ内に設置され、前記キャビティにはキャビティ内に回転軸が変位するためのストロークスペースが設けられ、前記モップヘッドは正回転すると前記回転軸は凸歯の一側から離れるように回転するが、前記モップヘッドは逆回転すると前記回転軸は凸歯の一側に近づくように回転するため、凸歯をラチェットの歯にはめ込んでローラーの回転を停止させる。
【００１５】
そのうち、前記モップヘッドはモップパッド及びモップパッドを取付けるための取付ヘッドを含み、モーターは取付ヘッドに接続され、前記モップパッドは取付ヘッドに脱着可能に設置される。
【００１６】
そのうち、前記モップヘッドはモップパッド及びモップパッドを取付けるための取付ヘッドを含み、モーターは取付ヘッドに接続され、前記モップパッドは取付ヘッドに縫い付けられる。
【００１７】
そのうち、さらにモップヘッドの水洗いに水を供給する給水装置、給水装置は水ポンプを含み、モップヘッドを水洗いする時、水ポンプは動作してバケツ内又はバケツとは別の貯水キャビティから水を取りモップヘッドに水を供給する。
【００１８】
そのうち、さらにモップヘッドの水洗いに水を供給する給水装置を含み、給水装置は貯水装置を含み、貯水装置はバケツに接続され、貯水装置はモップヘッドの上方に位置し、貯水装置に排水口が設けられ、排水口は配管に介して水弁に接続され、モップヘッドを水洗いする時、水弁をオンにし、排水口からモップヘッドに水を供給し、前記バケツはモップヘッドからワイパーによって拭き取られた水及び／又は汚れを受け取る。
【００１９】
そのうち、水ポンプは動作してバケツとは別の貯水キャビティから水を取りモップヘッドに水を供給し、前記バケツはモップヘッドからワイパーによって拭き取られた水及び／又は汚れを受け取る。
【００２０】
そのうち、前記水ポンプは円筒を含み、円筒に吸水口が設けられ、円筒内には円筒の内壁に沿って下から上まで旋回する螺旋部が設けられ、円筒は回転するようにバケツに設置され、モップヘッドは円筒の上方に設置されてそれに接続され、モップヘッドは回転すると円筒を回転させる。
【００２１】
そのうち、円筒の内径は下から上まで大きくなる。
【００２２】
そのうち、前記支持部は円筒に固定接続される。
【００２３】
そのうち、前記円筒内に内筒が設けられ、内筒と円筒の間に隙間が設けられ、内筒と円筒は同軸上に設置され、内筒と円筒は固定接続され又は回転可能に接続される。
【００２４】
そのうち、前記内筒と円筒は固定接続され、前記支持部と内筒は固定接続される。
【考案の効果】
【００２５】
本考案は従来の技術と比べ、次の利点と効果を有する。本考案におけるモップクリーナーとセルフ洗浄装置を一緒に使用することで、モップクリーナーが洗浄しにくい、洗浄後に水を除去しにくいという２つの問題を解決する。
【図面の簡単な説明】
【００２６】
【図１】本実施形態のモップクリーナーの構造を示す図である。
【図２】モップクリーナーと一緒に使用するセルフ洗浄装置の構造を示す図である。
【図３】本実施形態のモップクリーナーをバケツ内に置く状態を示す構造模式図である。
【図４】本実施形態における支持部の別の実施態様での構造を示す図である。
【図５】本実施形態においてローラーであるワイパーの構造を示す図である。
【図６】本実施形態においてラチェットの歯が凸歯から離れる状態を示す構造模式図である。
【図７】本実施形態において凸歯をラチェットの歯にはめ込む状態を示す構造模式図である。
【図８】本実施形態において貯水装置である給水装置の構造を示す図である。
【図９】本実施形態においてバケツが別の貯水キャビティを備える時の構造模式図である。
【図１０】本実施形態において水ポンプの一実施態様での構造を示す図である。
【図１１】本実施形態のモップクリーナーの正面図である。
【図１２】本実施形態におけるローラーの局部の構造を示す図である。
【考案を実施するための形態】
【００２７】
明細書の図面に従って本考案をさらに説明する。
【００２８】
実施形態１
図１〜４に示すようなモップクリーナー及びその附属セルフ洗浄装置では、前記モップクリーナーは筐体１を含み、前記筐体１はグリップロッド２に接続され、筐体１内にモーター４が設けられ、筐体１の下方にモップヘッド３が設けられ、モーター４はモップヘッド３を回転させ、モーター４はモップヘッド３を駆動する実施態様は従来の技術のすべての伝達方式を含み、例えば、モーター４はモップヘッド３に直接に接続され、モーター４の回転によってモップヘッド３を回転させ、又はモーター４は歯車を介してモップヘッド３を回転させ、又はモーター４は歯車とウォームギアの組み合わせを介してモップヘッド３を回転させる。上記の具体的な実施態様について、当業者は実際の状況に応じて選択して実施する。本実施形態はさらに、モップクリーナーと一緒に使用するセルフ洗浄装置を含む。前記セルフ洗浄装置はバケツ５を含み、バケツ５はモップクリーナーを支持する支持部５１に接続され、バケツ５内にワイパー５２が設けられ、モップクリーナーはバケツ５内に置かれて水を除去する時に、前記支持部５１は前記モップクリーナーを支持し、ワイパー５２はモップヘッド３に当接し、モップヘッド３は回転する時にモップヘッド３の水及び／又は汚れはワイパー５２によって拭き取られ、又は前記ワイパー５２は回転又は水平移動する時に、モップヘッド３の水及び／又は汚れはワイパー５２によって拭き取られる。好ましくは、本実施形態を使用する際に、モップヘッド３を水に入れて濡らすか又はモップヘッド３に水をスプレーして濡らす。その後、モップクリーナーをバケツ５内に入れて、モップクリーナーは掃除状態のままに動作すると、モップヘッド３は洗浄され、又は、モップクリーナーをバケツ５内に入れて、ワイパー５２は動作するとモップヘッド３を洗浄する。上記の施策は手作業による取り外しと洗浄よりも便利で迅速である。
【００２９】
好ましくは、前記モップヘッド３の数は偶数で、モップヘッド３は対称に設置される２つに分けられ、２つのモップヘッド３の回転方向は反対になる。具体的な実施態様は、モップヘッド３は２つであり、２つのモップヘッド３は２つのモーター４又は１つのモーター４を使用し、歯車を介して２つのモップヘッド３を駆動し、２つのモップヘッド３のうち１つのモップヘッド３は時計回りに回転し、別のモップヘッド３は反時計回りに回転することである。
【００３０】
好ましくは、前記支持部５１はバケツ５内に設置される。具体的な実施態様としては、支持部５１はバケツ５の底部を支持体としてバケツ５内に設置されること、又は、支持部５１はバケツ５の側壁を支持体として、バケツ５の中央部に延長してバケツ５内に設置されることが挙げられる。上記の２つの施策はいずれも実施でき、それはバケツ５の側壁は支持部５１を囲んで、水の溢れを避けるからである。
【００３１】
図４に示すように、支持部５１の別の実施態様として、前記支持部５１はバケツ５の上方に設けられ、グリップロッド２に掛け止め部２１が設けられ、支持部５１は掛け止め部２１に接続されて前記モップクリーナーを支持することが好ましい。具体的な実施態様としては、支持部５１はフックであり、グリップロッド２の掛け止め部２１はフックに掛けて、モップクリーナーを支えること、又は、支持部５１に穴５１０が設けられ、掛け止め部２１の外径は穴５１０より大きく、グリップロッド２の外径は穴５１０より小さく、穴５１０の一側に開口が設けられ、グリップロッド２は開口から穴５１０に入った後、グリップロッド２は下へ移動するが掛け止め部２１の外径は穴５１０より大きくてその移動を制限するため、モップクリーナーを支えることが挙げられる。
【００３２】
好ましくは、前記モップヘッド３は円盤であり、モップヘッド３は回転し、ワイパー５２はその一部がバケツ５内に保持するように設置され、ワイパー５２はモップヘッド３とともに回転せずに同期で同方向に回転し、両者は相対的に移動する。
【００３３】
好ましくは、本実施形態において、前記モップヘッド３は円盤であり、ワイパー５２はモップヘッド３の中心を回転の中心として回転するように設置される。ワイパー５２の回転によってモップヘッド３の水及び／又は汚れが拭き取られるのは別の施策であり、ワイパー５２を回転させる動力は人の加える力を含み、又は別のモーター４を使用してワイパー５２を回転させる。
【００３４】
好ましくは、本実施形態において、図５に示すように、前記ワイパー５２はストリップ又はローラー５２’又はブラシ、又は任意の組み合わせである。
【００３５】
好ましくは、本実施形態に係る前記ワイパー５２はローラー５２’であり、前記ローラー５２’は自体の軸線を回転軸として回転するようにバケツ５内に設置され、前記ローラー５２’は単一方向に回転するように設置され、モップヘッド３は正回転すると前記ローラー５２’も回転するが、モップヘッド３は逆回転するとローラー５２’は回転を停止する。具体的に実施する時には、バケツ５内に水を入れ、ローラー５２’をちょうど水に浸し、ローラー５２’は回転すると水をモップヘッド３に持たせ、ローラー５２’はモップヘッド３と互いに摩擦し、洗浄効率に優れる。
【００３６】
より好ましくは、さらにラチェット機構を含み、ローラー５２’の単一方向の回転設置には前記ラチェット機構を採用する。ラチェット機構は従来技術の構造であり、ラチェット機構を使用してローラー５２’を単一方向に回転させる。ローラー５２’は回転すると水で洗浄し、ローラー５２’は逆回転するとラチェット機構はローラー５２’の回転を止める。当該構造を使用することにより、モップヘッド３は正回転する時に水で洗浄し、逆回転する時に水を除去する。
【００３７】
別の実施態様において、好ましくは、さらに取付台座５２１は取付けられ、前記ローラー５２’の端部に回転軸が設けられ、前記回転軸にラチェットの歯５２２が設けられ、取付台座５２１に凸歯５２１１が設けられ、前記取付台座５２１にキャビティが設けられ、前記回転軸はキャビティ内に設置され、前記キャビティにはキャビティ内に回転軸が変位するためのストロークスペースが設けられる。図６に示すように、前記モップヘッド３は正回転すると前記回転軸は凸歯５２１１の一側から離れるように回転するが、図７に示すように、前記モップヘッド３は逆回転すると前記回転軸は凸歯５２１１の一側に近づくように回転するため、凸歯５２１１をラチェットの歯５２２にはめ込んでローラー５２’の回転を停止させる。当該構造を使用することにより、モップヘッド３は正回転する時に水で洗浄し、逆回転する時に水を除去する。
【００３８】
本実施形態において、前記モップヘッド３はモップパッド及びモップパッドを取付けるための取付ヘッドを含み、モーター４は取付ヘッドに接続され、前記モップパッドは取付ヘッドに脱着可能に設置される。取付ヘッドに面ファスナーが設けられ、面ファスナーはモップパッドを引っ掛かり、交換しやすい。
【００３９】
本実施形態において、前記モップヘッド３はモップパッド及びモップパッドを取付けるための取付ヘッドを含み、モーター４は取付ヘッドに接続され、前記モップパッドは取付ヘッドに縫い付けられる。モップパッドは平らに広げて取付ヘッドに縫い付けることができる。
【００４０】
本実施形態において、モップパッドとしては超繊維布、ＰＶＡ、スポンジ、綿布などを選択できる。
【００４１】
好ましくは、本実施形態はさらにモップヘッド３の水洗いに水を供給する給水装置、給水装置は水ポンプを含み、モップヘッド３を水洗いする時、水ポンプは動作してバケツ５内又はバケツ５とは別の貯水キャビティ５０から水を取りモップヘッド３に水を供給し、モップヘッド３も回転し、ワイパー５２はモップヘッド３に当接し、モップヘッド３は水で洗浄した後に拭き取られ、モップヘッド３のセルフ洗浄を徹底する。本実施形態における水ポンプは従来技術の電動ポンプと手動ポンプを含み、水ポンプの役割は水を運ぶことである。
【００４２】
好ましくは、図８に示すよう、本実施形態はさらにモップヘッド３の水洗いに水を供給する給水装置を含み、給水装置は貯水装置５３を含み、貯水装置５３はバケツ５に接続され、貯水装置５３はモップヘッド３の上方に位置し、貯水装置５３に排水口が設けられ、排水口は配管に介して水弁５４に接続され、モップヘッド３を水洗いする時、水弁５４をオンにし、排水口からモップヘッド３に水を供給し、前記バケツ５はモップヘッド３からワイパー５２によって拭き取られた水及び／又は汚れを受け取る。本実施形態はモップヘッド３に水を供給する別の実施態様であり、貯水装置５３は高い場所に設置され、モップヘッド３を洗浄する時に、水弁５４をオンにして水が排出しモップヘッド３へ流れ、モップヘッド３は回転し、ワイパー５２はモップヘッド３に当接し、モップヘッド３は水で洗浄した後に拭き取られ、モップヘッド３のセルフ洗浄を徹底する。
【００４３】
より好ましくは、本実施形態において、図９に示すように、前記バケツ５にさらに別の貯水キャビティ５０が設けられ、水ポンプは動作してバケツ５とは別の貯水キャビティ５０から水を取りモップヘッド３に水を供給し、前記バケツ５はモップヘッド３からワイパー５２によって拭き取られた水及び／又は汚れを受け取る。本実施形態において、バケツ５は２つの貯水領域を有し、１つに汚い水を入れ、もう１つにきれいな水を入れる。水ポンプはきれいな水を取り、ワイパー５２によって拭き取られた水及び／又は汚れた汚い水を入れる領域へ流れることで、洗浄用水と汚い水の分離を実現し、洗浄用水を大幅に節約する。
【００４４】
本実施形態において、図１０に示すように、前記水ポンプは円筒６１を含み、円筒６１に吸水口６０が設けられ、円筒６１内には円筒６１の内壁に沿って下から上まで旋回する螺旋部６３が設けられ、円筒６１は回転するようにバケツ５に設置され、モップヘッド３は円筒６１の上方に設置され、両者は接触し、モップヘッド３は回転すると円筒６１を回転させ、モップヘッド３は回転すると円筒６１を回転させることで、水を持ち上げ、モップヘッド３へ運ぶ。より好ましくは、円筒６１の上方に接続ヘッドが接続され、モップヘッド３は接続ベッドに設けられ、具体的には、当該接続ヘッドは五角形又は六角形の凸面が設けられ、モップヘッド３について、モップヘッド３に接続ヘッドに合わせる五角形又は六角形の凹部が設けられ、両者が嵌合後に円筒６１が回転するとモップヘッド３を回転させ、面同士の摩擦による伝達効率よりも高い。
【００４５】
本実施形態において、円筒６１の内径は下から上まで大きくなる。上は大きい、下は小さいという構造であり、円筒６１の内壁に斜面が形成され、水がよりスムーズに流れる。
【００４６】
本実施形態において、前記支持部５１は円筒６１に固定接続される。
【００４７】
本実施形態において、前記円筒６１内に内筒６２が設けられ、内筒６２と円筒６１の間に隙間が設けられ、内筒６２と円筒６１は同軸上に設置され、内筒６２と円筒６１は固定接続され又は回転可能に接続される。
【００４８】
本実施形態において、前記内筒６２は円筒６１に固定接続され、前記支持部５１は内筒６２に固定接続される。本実施形態において、内筒６２は支持部５１の力を受ける支持点とする。
【００４９】
好ましくは、図１２に示すように、ローラー５２’の表面にはローラー５２’を中心に周方向に配置される複数の第１の洗浄部５２３が設けられ、具体的に、第１の洗浄部５２３は凸状のリブであり、さらにモップパッドの周縁部に合わせて設置される第２の洗浄部５２４を含み、前記第２の洗浄部５２４は第１の洗浄部５２３に対して突出する。第１の洗浄部５２３及び第２の洗浄部５２４はローラー５２’の表面に固定設置される。複数の第１の洗浄部５２３及び第２の洗浄部５２４はローラー５２’の中心を基準として周方向に配列のように設置される。洗浄時には、第２の洗浄部５２４と第１の洗浄部５２３はモップパッドに接触する。
【００５０】
好ましくは、図１１に示すように、筐体１の底部において２つのモップヘッド３の間に押えリブ１２が設置され、床を掃除する状態で、当該押えリブ１２をモップパッドに押さえる。柔らかいモップパッドを床に密着する。
【００５１】
本明細書に記載される実施形態は、理想的な模式図を用いて平面図および／または断面図を参照して説明する。したがって、例示的な図面は製造技術及び／又は公差によって変更することができる。したがって、開示される実施形態は図面に示される実施形態に限定されず、むしろ、製造工程の上で形成される構成の変形を含む。したがって、図面に示された領域は例示的なものであり、図面に示された領域の形状は構成要素の領域の形状を例示するが、本考案の各態様はこれに限定されない。
【図１】
0003226942.tif 000003
【図２】
0003226942.tif 000004
【図３】
0003226942.tif 000005
【図４】
0003226942.tif 000006
【図５】
0003226942.tif 000007
【図６】
0003226942.tif 000008
【図７】
0003226942.tif 000009
【図８】
0003226942.tif 000010
【図９】
0003226942.tif 000011
【図１０】
0003226942.tif 000012
【図１１】
0003226942.tif 000013
【図１２】
0003226942.tif 000014